(57)【特許請求の範囲】
【請求項１】
複数の使用権限によって動作することが可能な検体検査装置であって、
検体を測定するための測定機構と、
前記測定機構の検体測定により得られた測定データを分析して分析結果を生成する分析手段と、
操作者を識別するための識別情報の入力を受け付ける識別情報受付手段と、
装置を動作させるために用いられる複数の設定データを記憶する設定データ記憶部と、
該設定データ記憶部に記憶された設定データのうち、前記測定機構の動作を制御する設定データの入力を受け付ける第１設定データ受付手段と、
前記測定機構の検体測定により得られた測定データを分析する条件に関する設定データの入力を受け付ける第２設定データ受付手段と、
前記設定データ記憶部に記憶された設定データのうち、分析結果の出力に関する設定データの入力を受け付ける第３設定データ受付手段と、
装置の動作を制御する制御部と
を備え、
前記制御部は、
入力を受け付けた識別情報が、メンテナンスを行う操作者に付与される第１の使用権限に対応する識別情報である場合、前記第１設定データ受付手段及び前記第３設定データ受付手段による設定データの入力の受け付けを許可し、前記第２設定データ受付手段による設定データの入力の受け付けを禁止し、
入力を受け付けた識別情報が、管理者に付与される第２の使用権限に対応する識別情報である場合、前記第２設定データ受付手段及び前記第３設定データ受付手段による設定データの入力の受け付けを許可し、前記第１設定データ受付手段による設定データの入力の受け付けを禁止し、
入力を受け付けた識別情報が、検体検査を行う操作者に付与される第３の使用権限に対応する識別情報である場合、前記第３設定データ受付手段による設定データの入力の受け付けを許可し、前記第１設定データ受付手段及び前記第２設定データ受付手段による設定データの入力の受け付けを禁止し、前記第１設定データ受付手段及び前記第２設定データ受付手段により入力を受け付けた設定データと、前記第３の使用権限を有する操作者から前記第３設定データ受付手段により入力を受け付けた設定データとに基づいて装置を動作させることを特徴とする検体検査装置。
【請求項２】
前記第３設定データ受付手段は、さらに前記設定データ記憶部に記憶された設定データのうち、測定機構の測定を中断させる条件に関する設定データの入力を受け付けることを特徴とする請求項１に記載の検体検査装置。
【請求項３】
表示部をさらに備え、
前記制御部は、前記第１設定データ受付手段に対応する第１入力受付画面を前記表示部に表示させること、前記第２設定データ受付手段に対応する第２入力受付画面を前記表示部に表示させること、及び前記第３設定データ受付手段に対応する第３入力画面を前記表示部に表示させることが可能であることを特徴とする請求項１又は２に記載の検体検査装置。
【請求項４】
前記制御部は、入力を受け付けた識別情報が、前記第２の使用権限又は前記第３の使用権限に対応する識別情報である場合、前記表示部にて前記第１入力受付画面の表示を制限することを特徴とする請求項３に記載の検体検査装置。
【請求項５】
前記制御部は、入力を受け付けた識別情報が、前記第１の使用権限又は前記第３の使用権限に対応する識別情報である場合、前記表示部にて前記第２入力受付画面の表示を制限することを特徴とする請求項３又は４に記載の検体検査装置。
【請求項６】
前記制御部は、
入力を受け付けた識別情報が、前記第１の使用権限に対応する識別情報である場合、前記第１設定データ受付手段及び前記第２設定データ受付手段により入力を受け付けた設定データと、前記第１の使用権限を有する操作者から前記第３設定データ受付手段により入力を受け付けた設定データとに基づいて装置を動作させることを特徴とする請求項１乃至５のいずれか一項に記載の検体検査装置。
【請求項７】
前記制御部は、
入力を受け付けた識別情報が、前記第２の使用権限に対応する識別情報である場合、前記第１設定データ受付手段及び第２設定データ受付手段により入力を受け付けた設定データと、前記第２の使用権限を有する操作者から前記第３設定データ受付手段により入力を受け付けた設定データとに基づいて装置を動作させることを特徴とする請求項１乃至６のいずれか一項に記載の検体検査装置。
【請求項８】
前記測定機構は、検体から調製された測定試料に光を照射する光源と、前記測定試料に光が照射されることにより生じる光を受光する受光部とを備え、
前記第１設定データ受付手段は、前記測定機構の動作を制御する設定データとして、前記光源が照射する光の光軸を調整するための設定データ、又は前記受光部が出力した信号を増幅するときのゲインを調整するための設定データの変更を受け付けることを特徴とする請求項１乃至７のいずれか一項に記載の検体検査装置。
【請求項９】
前記第２設定データ受付手段は、測定データを分析する条件に関する設定データとして、測定データから分析結果を生成するときに用いる補正率の設定データ、又は生成した分析結果が異常値であることを示すフラグを該分析結果に付すか否かの条件を定める設定データの変更を受け付けることを特徴とする請求項１乃至８のいずれか一項に記載の検体検査装置。
【請求項１０】
前記第３設定データ受付手段は、分析結果の出力の有無に関する設定データとして、ホストコンピュータへの分析結果の出力の有無に関する設定データの変更を受け付けることを特徴とする請求項１乃至９のいずれか一項に記載の検体検査装置。
【発明の詳細な説明】
【技術分野】
【０００１】
本発明は、血液、尿等の検体の検査を実行する検体検査装置に関する。
【背景技術】
【０００２】
従来、複数の異なる使用権限に応じて分析条件を変更することが可能な分析装置が知られている。例えば特許文献１には、ユーザＩＤに対応して異なる使用権限を記憶し、使用権限に応じて分析条件の一時的変更及び恒常的変更の権限を許可する分析装置が開示されている。
【０００３】
特許文献１に開示されている分析装置は、使用権限をＲ１、Ｒ２及びＲ３の３つに分類し、使用権限Ｒ１には分析条件の一時的変更及び恒常的変更の権限を付与し、使用権限Ｒ２には分析条件の一時的変更の権限のみを付与する。使用権限Ｒ３には分析条件の変更の権限は付与されない。使用権限Ｒ１は、ユーザ（分析を行う操作者）に割り振られる使用権限であり、使用権限Ｒ２は、メンテナンスを行うサービス担当者（メンテナンスを行う操作者）に割り振られる使用権限である。したがって、特許文献１に開示されている分析装置では、ユーザのみが分析条件の恒常的変更を行うことができ、サービス担当者は分析条件の恒常的変更を行うことができず、一時的変更のみを行うことが可能となっている。
【先行技術文献】
【特許文献】
【０００４】
【特許文献１】特開２００４−３０９２４９号公報
【発明の概要】
【発明が解決しようとする課題】
【０００５】
しかし、特許文献１に開示されている分析装置のように、サービス担当者が分析条件を一時的にしか変更できない場合、例えばメンテナンス作業を実行する時点で設定データを最適値に設定しているにもかかわらず、ユーザが分析を実行する時点では元のままの設定データを用いることになる。したがって、ユーザは、分析を実行する時点で、メンテナンス作業時に設定された最適値へ再度設定し直す必要が生じ、煩雑な作業を強いられるという問題点があった。
【０００６】
一方、分析装置における設定データには、情報の出力に関する設定データのように、最適な値が存在せず、ユーザが用途、状況等に応じて適宜変更するべき設定データも存在する。斯かる設定データについては、たとえメンテナンス作業時に変更された場合であっても、変更された設定データがユーザによる分析装置の操作時に反映されることは好ましくない。
【０００７】
本発明は斯かる事情に鑑みてなされたものであり、メンテナンスを行う操作者により最適値が設定された設定データについては、ユーザによる装置の動作時にも有効な設定データとして反映させつつ、情報の出力に関する設定データについては、たとえメンテナンスを行う操作者によって設定データが変更された場合であっても、ユーザによる装置の動作時には、ユーザによって変更された設定データを有効な設定データとして反映させることが可能な検体検査装置を提供することを目的とする。
【課題を解決するための手段】
【０００８】
上記目的を達成するために第１発明に係る検体検査装置は、複数の使用権限によって動作することが可能な検体検査装置であって、検体を測定するための測定機構と、前記測定機構の検体測定により得られた測定データを分析して分析結果を生成する分析手段と、操作者を識別するための識別情報の入力を受け付ける識別情報受付手段と、装置を動作させるために用いられる複数の設定データを記憶する設定データ記憶部と、該設定データ記憶部に記憶された設定データのうち、前記測定機構の動作を制御する設定データの入力を受け付ける第１設定データ受付手段と、前記測定機構の検体測定により得られた測定データを分析する条件に関する設定データの入力を受け付ける第２設定データ受付手段と、前記設定データ記憶部に記憶された設定データのうち、分析結果の出力に関する設定データの入力を受け付ける第３設定データ受付手段と、装置の動作を制御する制御部とを備え、前記制御部は、入力を受け付けた識別情報が、メンテナンスを行う操作者に付与される第１の使用権限に対応する識別情報である場合、前記第１設定データ受付手段及び前記第３設定データ受付手段による設定データの入力の受け付けを許可し、前記第２設定データ受付手段による設定データの入力の受け付けを禁止し、入力を受け付けた識別情報が、管理者に付与される第２の使用権限に対応する識別情報である場合、前記第２設定データ受付手段及び前記第３設定データ受付手段による設定データの入力の受け付けを許可し、前記第１設定データ受付手段による設定データの入力の受け付けを禁止し、入力を受け付けた識別情報が、検体検査を行う操作者に付与される第３の使用権限に対応する識別情報である場合、前記第３設定データ受付手段による設定データの入力の受け付けを許可し、前記第１設定データ受付手段及び前記第２設定データ受付手段による設定データの入力の受け付けを禁止し、前記第１設定データ受付手段及び前記第２設定データ受付手段により入力を受け付けた設定データと、前記第３の使用権限を有する操作者から前記第３設定データ受付手段により入力を受け付けた設定データとに基づいて装置を動作させることを特徴とする。
【００１０】
また、第２発明に係る検体検査装置は、第１発明において、前記第３設定データ受付手段は、さらに前記設定データ記憶部に記憶された設定データのうち、測定機構の測定を中断させる条件に関する設定データの入力を受け付けることを特徴とする。
【００１１】
また、第３発明に係る検体検査装置は、第１又は第２発明において、表示部をさらに備え、前記制御部は、前記第１設定データ受付手段に対応する第１入力受付画面を前記表示部に表示させること、前記第２設定データ受付手段に対応する第２入力受付画面を前記表示部に表示させること、及び前記第３設定データ受付手段に対応する第３入力画面を前記表示部に表示させることが可能であることを特徴とする。
【００１２】
また、第４発明に係る検体検査装置は、第３発明において、前記制御部は、入力を受け付けた識別情報が、前記第２の使用権限又は前記第３の使用権限に対応する識別情報である場合、前記表示部にて前記第１入力受付画面の表示を制限することを特徴とする。
【００１３】
また、第５発明に係る検体検査装置は、第３又は第４発明において、前記制御部は、入力を受け付けた識別情報が、前記第１の使用権限又は前記第３の使用権限に対応する識別情報である場合、前記表示部にて前記第２入力受付画面の表示を制限することを特徴とする。
【００１４】
また、第６発明に係る検体検査装置は、第１乃至第５発明のいずれか１つにおいて、前記制御部は、入力を受け付けた識別情報が、前記第１の使用権限に対応する識別情報である場合、前記第１設定データ受付手段及び前記第２設定データ受付手段により入力を受け付けた設定データと、前記第１の使用権限を有する操作者から前記第３設定データ受付手段により入力を受け付けた設定データとに基づいて装置を動作させることを特徴とする。
【００１５】
また、第７発明に係る検体検査装置は、第１乃至第６発明のいずれか１つにおいて、前記制御部は、入力を受け付けた識別情報が、前記第２の使用権限に対応する識別情報である場合、前記第１設定データ受付手段及び第２設定データ受付手段により入力を受け付けた設定データと、前記第２の使用権限を有する操作者から前記第３設定データ受付手段により入力を受け付けた設定データとに基づいて装置を動作させることを特徴とする。
【００１７】
また、第８発明に係る検体検査装置は、第１乃至第７発明のいずれか１つにおいて、前記測定機構は、検体から調製された測定試料に光を照射する光源と、前記測定試料に光が照射されることにより生じる光を受光する受光部とを備え、前記第１設定データ受付手段は、前記測定機構の動作を制御する設定データとして、前記光源が照射する光の光軸を調整するための設定データ、又は前記受光部が出力した信号を増幅するときのゲインを調整するための設定データの変更を受け付けることを特徴とする。
【００１８】
また、第９発明に係る検体検査装置は、第１乃至第８発明のいずれか１つにおいて、前記第２設定データ受付手段は、測定データを分析する条件に関する設定データとして、測定データから分析結果を生成するときに用いる補正率の設定データ、又は生成した分析結果が異常値であることを示すフラグを該分析結果に付すか否かの条件を定める設定データの変更を受け付けることを特徴とする。
【００２０】
また、第１０発明に係る検体検査装置は、第１乃至第９発明のいずれか１つにおいて、前記第３設定データ受付手段は、分析結果の出力の有無に関する設定データとして、ホストコンピュータへの分析結果の出力の有無に関する設定データの変更を受け付けることを特徴とする。
【００２１】
第１発明では、測定機構の動作を制御する設定データの入力を受け付ける第１設定データ受付手段と、測定機構の検体測定により得られた測定データを分析する条件に関する設定データの入力を受け付ける第２設定データ受付手段と、分析結果の出力に関する設定データの入力を受け付ける第３設定データ受付手段とを備える。入力を受け付けた識別情報が、メンテナンスを行う操作者に付与される第１の使用権限に対応する識別情報である場合、第１設定データ受付手段及び第３設定データ受付手段による設定データの入力の受け付けを許可し、第２設定データ受付手段による設定データの入力の受け付けを禁止する。入力を受け付けた識別情報が、管理者に付与される第２の使用権限に対応する識別情報である場合、第２設定データ受付手段及び第３設定データ受付手段による設定データの入力の受け付けを許可し、第１設定データ受付手段による設定データの入力の受け付けを禁止する。入力を受け付けた識別情報が、検体検査を行う操作者に付与される第３の使用権限に対応する識別情報である場合、第３設定データ受付手段による設定データの入力の受け付けを許可し、第１設定データ受付手段及び第２設定データ受付手段による設定データの入力の受け付けを禁止する。第１設定データ受付手段及び第２設定データ受付手段により入力を受け付けた設定データと、第３の使用権限を有する操作者から第３設定データ受付手段により入力を受け付けた設定データとに基づいて装置を動作させる。
【００２２】
したがって、メンテナンスを行う操作者が測定機構の動作を制御する設定データを最適な値に設定した場合、検体検査を行う操作者による装置動作時には、メンテナンスを行う操作者が入力した測定機構の動作を制御する設定データを有効な設定データとして反映させることができる。そのため、検体検査を行う操作者は、メンテナンスを行う操作者により入力された最適な設定データを再度設定し直す必要がない。
【００２３】
また、検体検査を行う操作者が装置を動作させる場合には、情報の出力に関する設定データは、検体検査を行う操作者により入力された設定データを有効な設定データとして反映させる。そのため、たとえメンテナンスを行う操作者が情報の出力に関する設定データを変更していた場合であっても、検体検査を行う操作者による装置の動作時には、検体検査を行う操作者が入力した情報の出力に関する設定データを有効な設定データとして反映させることができる。
【００２４】
また、検体検査を行う操作者により、測定機構の動作を制御する設定データの入力を受け付けることができないので、メンテナンスを行う操作者以外の操作者が不用意に測定機構の動作を制御する設定データを変更したことによる装置の動作の不具合の発生を未然に防止することが可能となる。
【００２６】
第２発明では、測定機構の測定を中断させる条件に関する設定データの入力を受け付ける。これにより、メンテナンスを行う操作者により測定機構の測定を中断させる条件に関する設定データが変更された場合であっても、検体検査を行う操作者は、自らの所望する条件において測定機構の測定を中断するよう入力することが可能となる。
【００２７】
第３発明では、表示部をさらに備え、第１設定データ受付手段に対応する第１入力受付画面を表示部に表示させること、第２設定データ受付手段に対応する第２入力受付画面を表示部に表示させること、及び第３設定データ受付手段に対応する第３入力画面を表示部に表示させることが可能であるので、利便性が向上する。
【００２８】
第４発明では、入力を受け付けた識別情報が、第２の使用権限又は第３の使用権限に対応する識別情報である場合、表示部にて第１入力受付画面の表示を制限する。これにより、メンテナンスを行う操作者以外による測定機構の動作を制御する設定データの入力を受け付けないようにすることができる。
【００２９】
第５発明では、入力を受け付けた識別情報が、第１の使用権限又は第３の使用権限に対応する識別情報である場合、表示部にて第２入力受付画面の表示を制限する。これにより、管理者以外による分析結果の出力に関する設定データの入力を受け付けないようにすることができる。
【００３０】
第６発明では、入力を受け付けた識別情報が、第１の使用権限に対応する識別情報である場合、第１設定データ受付手段及び第２設定データ受付手段により入力を受け付けた設定データと、第１の使用権限を有する操作者から第３設定データ受付手段により入力を受け付けた設定データとに基づいて装置を動作させる。これにより、メンテナンスを行う操作者以外の操作者が不用意に設定した設定データによる装置の動作の不具合の発生を未然に防止することが可能となる。
【００３１】
第７発明では、入力を受け付けた識別情報が、第２の使用権限に対応する識別情報である場合、第１設定データ受付手段及び第２設定データ受付手段により入力を受け付けた設定データと、第２の使用権限を有する操作者から第３設定データ受付手段により入力を受け付けた設定データとに基づいて装置を動作させる。これにより、管理者以外が不用意に設定した設定データによる装置の動作の不具合の発生を未然に防止することが可能となる。
第８発明では、測定機構は、検体から調製された測定試料に光を照射する光源と、測定試料に光が照射されることにより生じる光を受光する受光部とを備え、第１設定データ受付手段は、測定機構の動作を制御する設定データとして、光源が照射する光の光軸を調整するための設定データ、又は受光部が出力した信号を増幅するときのゲインを調整するための設定データの変更を受け付ける。これにより、測定機構の設定を最適化することができる。
第９発明では、第２設定データ受付手段は、測定データを分析する条件に関する設定データとして、測定データから分析結果を生成するときに用いる補正率の設定データ、又は生成した分析結果が異常値であることを示すフラグを該分析結果に付すか否かの条件を定める設定データの変更を受け付ける。これにより、適切な補正をして異常であるか否かを正確に分析することができる。
第１０発明では、第３設定データ受付手段は、分析結果の出力の有無に関する設定データとして、ホストコンピュータへの分析結果の出力の有無に関する設定データの変更を受け付ける。これにより、必要である場合には分析結果を出力することができる。
【発明の効果】
【００３９】
上記構成によれば、メンテナンスを行う操作者により最適値が設定された設定データについては、検体検査を行う操作者による装置の動作時にも有効な設定データとして反映させつつ、情報の出力に関する設定データについては、たとえメンテナンスを行う操作者によって設定データが変更されていた場合であっても、検体検査を行う操作者による装置の動作時には、検体検査を行う操作者により変更された設定データを有効な設定データとして反映することが可能な検体検査装置を提供することができる。
【図面の簡単な説明】
【００４０】
【図１】本発明の実施の形態に係る検体検査装置の全体構成を示す斜視図である。
【図２】本発明の実施の形態に係る検体検査装置の情報処理装置をＣＰＵ等による制御部を用いて構成した場合の構成を示すブロック図である。
【図３】本発明の実施の形態に係る検体検査装置の設定データと使用権限との関係を示す設定データテーブルの構成を示す例示図である。
【図４】本発明の実施の形態に係る検体検査装置の情報処理装置の制御部の処理手順を示すフローチャートである。
【図５】本発明の実施の形態に係る検体検査装置の情報処理装置の起動時に表示部に表示されるログイン画面の例示図である。
【図６】本発明の実施の形態に係る検体検査装置の情報処理装置の制御部の、図４のステップＳ４０４における処理手順を示すフローチャートである。
【図７】サービスマン権限において表示部に表示されるメニュー画面の例示図である。
【図８】サービスアイコンの選択を受け付けた場合に表示部に表示されるサービスメニュー画面の例示図である。
【図９】感度調整データの入力受付画面の例示図である。
【図１０】ＩＰＵ設定画面の例示図である。
【図１１】測定部設定画面の例示図である。
【図１２】本発明の実施の形態に係る検体検査装置の情報処理装置の制御部の、図４のステップＳ４０５における処理手順を示すフローチャートである。
【図１３】管理者権限において表示部に表示されるメニュー画面の例示図である。
【図１４】校正データの入力受付画面の例示図である。
【図１５】フフラグ設定データの入力を受け付ける入力受付画面の例示図である。
【図１６】本発明の実施の形態に係る検体検査装置の情報処理装置の制御部の、図４のステップＳ４０６における処理手順を示すフローチャートである。
【図１７】本発明の他の実施の形態に係る情報処理装置の構成を示すブロック図である。
【発明を実施するための形態】
【００４１】
以下、本発明の実施の形態に係る検体検査装置について、血液を試薬と混合して調製した測定試料について検査を行う血液検査装置を一例とし、図面に基づいて具体的に説明する。
【００４２】
図１は、本発明の実施の形態に係る検体検査装置の全体構成を示す斜視図である。図１に示すように、本実施の形態に係る検体検査装置１は、測定部３と、測定部３の側面側に配置され、測定部３に電気的に接続されている情報処理装置５とで構成されている。測定部３は、筐体３４の内部に、血液検体が収容されている検体容器１００、１００、・・・を取り込み、装置内部において、取り込まれた検体容器１００、１００、・・・に収容されている血液検体と試薬とを混合して測定試料を調製する。測定部３は、測定試料の物理量を測定し、測定データを取得する。測定部３は、取得した測定データを情報処理装置５に送信する。情報処理装置５は、測定部３から受信した測定データを分析し、血液検体に含まれる血液成分に関する分析結果を生成する。
【００４３】
測定部３の前方にはサンプラ４が備えてあり、検体容器１００、１００、・・・を搬送する。すなわち、血液検体が収容されている検体容器１００、１００、・・・は、検体ラック１０１に収容された状態で測定前ラック貯留部４１に保持され、検体ラック１０１は、測定後にラック貯留部４２へ横送りされる。
【００４４】
測定部３は、図示していないハンドを備えており、横送りされた検体ラック１０１から測定の対象となる血液検体が収容されている検体容器１００をハンドによって装置内部へ取り込む。具体的には、測定後ラック貯留部４２の手前に検体容器移送部３５５を備えており、検体容器移送部３５５上の検体容器セット部３５５ａに、測定の対象となる血液検体が収容されている検体容器１００をハンドによりセットする。測定部３は、セットされた検体容器１００を装置内部へ取り込み、取り込まれた検体容器１００に収容されている血液検体と試薬とを混合して測定試料を調製する。さらに測定部３は、測定試料を流すためのフローセルと、フローセルを流れる液流に対して光を照射する光源と、光源によって光が照射されることにより生じた光（散乱光又は蛍光）を受光する受光部とを内部に備え、公知のフローサイトメトリー法によって測定試料に含まれる血液成分に由来する信号を取得する。
【００４５】
図２は、本発明の実施の形態に係る検体検査装置１の情報処理装置５をＣＰＵ等による制御部を用いて構成した場合の構成を示すブロック図である。図２に示すように、情報処理装置５は、少なくとも、ＣＰＵ（中央演算装置）等で構成される制御部（動作制御部）５１、メモリ５４、記憶装置５５、Ｉ／Ｏインタフェース５６、ビデオインタフェース５７、可搬型ディスクドライブ５８、通信インタフェース５９及び上述したハードウェアを接続する内部バス６０で構成されている。制御部５１は、内部バス６０を介して情報処理装置５の上述したようなハードウェア各部と接続されており、上述したハードウェア各部の動作を制御するとともに、記憶装置５５に記憶されているコンピュータプログラム９０に従って、測定部３の動作を制御する。
【００４６】
メモリ５４は、ＳＲＡＭ、フラッシュメモリ等の揮発性メモリで構成され、コンピュータプログラム９０の実行時にロードモジュールが展開され、コンピュータプログラム９０の実行時に発生する一時的なデータ等を記憶する。
【００４７】
記憶装置５５は、内蔵される固定型記憶装置（ハードディスク）等で構成されている。記憶装置５５に記憶されているコンピュータプログラム９０は、プログラム及びデータ等の情報を記録したＤＶＤ、ＣＤ−ＲＯＭ等の可搬型記録媒体８０から、可搬型ディスクドライブ５８によりダウンロードされ、実行時には記憶装置５５からメモリ５４へ展開して実行される。もちろん、通信インタフェース５９を介して外部コンピュータからダウンロードされたコンピュータプログラムであっても良い。
【００４８】
通信インタフェース５９は内部バス６０に接続されており、インターネット、ＬＡＮ、ＷＡＮ等の外部のネットワーク網に接続されることにより、外部のコンピュータ、測定部３等とデータ送受信を行うことが可能となっている。例えば上述した記憶装置５５は、情報処理装置５に内蔵される構成に限定されるものではなく、通信インタフェース５９を介して接続されている外部のストレージ等の外部記録媒体であっても良い。
【００４９】
本実施の形態では、情報処理装置５は、通信インタフェース５９を介してホストコンピュータＨＣに接続されている。ホストコンピュータＨＣは、検体検査装置１によって検査が行われる検体に関する情報、例えば患者情報を一元管理するための情報管理装置である。ホストコンピュータＨＣは、検体検査装置１に対して測定オーダを送信し、情報処理装置５から検体の分析結果を取得する。
【００５０】
Ｉ／Ｏインタフェース５６は、キーボード、タブレット等で構成される入力部５３と接続されている。ビデオインタフェース５７は、ＣＲＴモニタ、ＬＣＤ等の表示部５２と接続されている。
【００５１】
また、記憶装置５５は、測定部３及び情報処理装置５による検体検査装置１の動作を制御する複数の設定データを記憶している。記憶装置５５は、設定データとして、測定部３に設けられた測定機構の設定データ、情報処理装置５による情報出力の設定データ、及び情報処理装置５による測定データの分析の条件に関する設定データを記憶している。
【００５２】
なお、測定機構の設定データとは、光軸調整データ、ハンド位置調整データ、受光素子の感度調整データ等を含む測定機構の動作を制御するデータである。光軸調整データとは、測定部３の内部に備えた光源による照射光の光軸を調整するための設定データである。ハンド位置調整データとは、サンプラ４によって横送りされた検体ラック１０１から検体容器１００を取り込む場合に、ハンドが検体容器１００を把持する位置を上下方向に調整するための設定データである。受光素子の感度調整データとは、測定部３の内部に備えた受光部が光を受光したときに出力する信号のゲインを調整するための設定データである。
【００５３】
また、情報出力の設定データとは、情報処理装置５から外部へ情報を出力する場合の出力条件、出力形式等の情報の出力に関する設定データである。具体的には、情報処理装置５とホストコンピュータＨＣとの接続の有無及び通信条件を含む。
【００５４】
また、測定データの分析の条件に関する設定データとは、フラグ設定データ及び校正データ等を含む、情報処理装置５による測定データを分析する条件に関する設定データである。フラグ設定データとは、取得した分析結果が例えば異常値であることを示すフラグを分析結果に付すか否かを判断するための条件を定める設定データである。校正データとは、情報処理装置５が測定データを補正して分析結果を生成する場合に用いる補正率の設定データである。
【００５５】
さらに、記憶装置５５は、操作者を識別する識別情報に対応付けて、検体検査装置１を操作する操作者に付与される使用権限に関する情報を記憶する使用権限情報記憶部５５１を備えている。本実施の形態に係る検体検査装置１においては、検体検査装置１のメンテナンスを行う操作者（例えばサービスマン）と、検体検査装置１を用いて検体検査を行う操作者（例えば検査技師）と、検体検査装置１の管理者とで異なる使用権限が付与されている。使用権限情報記憶部５５１は、メンテナンスを行う操作者の使用権限（以下、「サービスマン権限」という）、検体検査装置１を用いて検体検査を行う操作者の使用権限（以下、「ユーザ権限」という）、及び管理者の使用権限（以下、「管理者権限」という）のいずれかを、操作者を識別する識別情報に対応付けて記憶している。
【００５６】
本実施の形態の検体検査装置１では、使用権限に応じて、設定データの入力、変更及び設定データに基づく装置の動作において異なる制御を実行する。設定データと使用権限との関係について具体的に説明する。
【００５７】
図３は、本発明の実施の形態に係る検体検査装置１の設定データと使用権限との関係を示す設定データテーブルの例示図である。図３に示すように、設定データテーブルＴＢは、設定データを識別するＩＤを示すＩＤフィールドＦ１、設定データの種別を記憶する種別フィールドＦ２、設定データのパラメータを記憶するパラメータフィールドＦ３、設定データの入力を受け付けることが可能な使用権限を示すフラグ情報を記憶する入力フラグフィールドＦ４、いずれの使用権限において使用される設定データであるかを示すフラグ情報を記憶する使用フラグフィールドＦ５、及び設定データの入力が可能な操作者の識別情報を記憶する入力者ＩＤフィールドＦ６を含んでいる。
【００５８】
ＩＤフィールドＦ１には、個々の設定データを識別するためのＩＤが記憶されている。
【００５９】
種別フィールドＦ２には、「感度調整」、「ホストコンピュータ接続」といった設定データの種別を示す情報が記憶されている。
【００６０】
パラメータフィールドＦ３には、各設定データのパラメータが記憶されている。斯かるパラメータが設定データの具体的な数値、条件等を定めており、設定データの入力を受け付けた場合、受け付けた入力に応じてパラメータが更新される。
【００６１】
入力フラグフィールドＦ４には、設定データごとに入力を受け付けることが可能な使用権限を示すフラグ情報が記憶されている。具体的には、サービスマン権限によって入力を受け付けることができる設定データにはフラグ“Ｍ”が付され、管理者権限によって入力を受け付けることができる設定データにはフラグ“Ａ”が付され、ユーザ権限によって入力を受け付けることができる設定データにはフラグ“Ｙ”が付されている。
【００６２】
使用フラグフィールドＦ５には、設定データごと（ＩＤごと）に、いずれの使用権限において使用されるかを示すフラグ情報が記憶されている。具体的には、サービスマン権限における装置動作時に用いられる設定データにはフラグ“Ｍ”が付され、管理者権限における装置動作時に用いられる設定データにはフラグ“Ａ”が付され、ユーザ権限における装置動作時に用いられる設定データにはフラグ“Ｙ”が付され、使用権限の如何に関わらず全ての使用権限における装置動作時に用いられる設定データにはフラグ“Ｃ”が付されている。
【００６３】
入力者ＩＤフィールドＦ６には、設定データを入力することが可能な操作者の識別情報が記憶されている。操作者の識別情報は、後述のログイン操作においてパスワードとともに情報処理装置５に入力される識別情報（入力者ＩＤともいう）である。図３に示す例では、入力者ＩＤとしては、メンテナンスを行う操作者を識別する「Ｍ−９９」と、管理者を識別する「Ａ−０１」と、検体検査を行う操作者を識別する「Ｙ−０１」及び「Ｙ−０２」とがある。
【００６４】
以下、本発明の実施の形態に係る検体検査装置１の動作について説明する。図４は、本発明の実施の形態に係る検体検査装置１の情報処理装置５の制御部５１の処理手順を示すフローチャートである。
【００６５】
検体検査装置１の情報処理装置５が起動された場合、情報処理装置５の制御部５１は、図５に示すログイン画面を表示部５２に表示し、操作者を識別する識別情報として、入力者ＩＤ及びパスワードの入力を受け付ける（ステップＳ４０１）。図５は、本発明の実施の形態に係る検体検査装置１の情報処理装置５の起動時に表示部５２に表示されるログイン画面の例示図である。
【００６６】
操作者は、操作者を識別する入力者ＩＤを入力者ＩＤ入力領域５０１に入力し、セキュリティ確保のためのパスワードをパスワード入力領域５０２に入力する。なお、操作者を識別する識別情報の入力を受け付ける方法としては、図５に示すように入力者ＩＤ及びパスワードの入力を操作者から受け付ける方法以外にも、入力者ＩＤ及びパスワードを記憶したＵＳＢメモリ等の着脱による操作者の自動認識であっても良く、操作者を識別する入力者ＩＤ及びパスワードを取得することができる方法であれば特に限定されるものではない。
【００６７】
図４に戻って、情報処理装置５の制御部５１は、入力を受け付けた入力者ＩＤ及びパスワードを認証することができるか否かを判断し（ステップＳ４０２）、制御部５１が、入力者ＩＤ及びパスワードを認証することができないと判断した場合（ステップＳ４０２：ＮＯ）、制御部５１は、処理をステップＳ４０１へ戻して、新たな入力者ＩＤ及びパスワードの入力の受け付け待ち状態となる。
【００６８】
制御部５１が、入力者ＩＤ及びパスワードを認証することができると判断した場合（ステップＳ４０２：ＹＥＳ）、制御部５１は、使用権限情報記憶部５５１を参照して、入力を受け付けた入力者ＩＤに対応する使用権限が、サービスマン権限、管理者権限、及びユーザ権限のいずれであるかを判断する（ステップＳ４０３）。制御部５１は、入力を受け付けた入力者ＩＤに対応する使用権限がサービスマン権限であると判断した場合、処理をステップＳ４０４へ進める。制御部５１は、入力を受け付けた入力者ＩＤに対応する使用権限が管理者権限であると判断した場合、処理をステップＳ４０５へ進める。制御部５１は、入力を受け付けた入力者ＩＤに対応する使用権限がユーザ権限であると判断した場合、処理をステップＳ４０６へ進める。
【００６９】
[サービスマン権限における処理]
次に、図４のステップＳ４０４の処理について説明する。図６は、本発明の実施の形態に係る検体検査装置１の情報処理装置５の制御部５１の、図４のステップＳ４０４における処理手順を示すフローチャートである。
【００７０】
情報処理装置５の制御部５１は、サービスマン権限におけるメニュー画面を表示部５２に表示する（ステップＳ６０１）。図７は、サービスマン権限において表示部５２に表示されるメニュー画面の例示図である。図７に示すように、サービスマン権限におけるメニュー画面には、設定データの入力を受け付ける入力受付画面を表示するためのアイコンとして、例えばサービスアイコン７１、測定部設定アイコン７２、ＩＰＵ設定アイコン７３、手動校正アイコン７４、及び自動校正アイコン７５が表示される。操作者がメニュー画面において所望のアイコンを入力部５３の操作により選択し、エンターキー等を押し下げることにより、制御部５１は、選択したアイコンに対応する設定データの入力を受け付ける画面の呼び出し指示を受け付ける。
【００７１】
制御部５１は、設定データの入力を受け付ける画面の呼び出し指示を受け付けたか否かを判断する（ステップＳ６０２）。制御部５１が、呼び出し指示を受け付けていないと判断した場合（ステップＳ６０２：ＮＯ）、制御部５１は、ステップＳ６０３からＳ６０７までの処理をスキップする。制御部５１が、呼び出し指示を受け付けたと判断した場合（ステップＳ６０２：ＹＥＳ）、制御部５１は、呼び出し指示を受け付けた画面において入力を受け付けることが可能な設定データについて、設定データの入力権限があるか否かを判断する（ステップＳ６０３）。具体的には、制御部５１は、呼び出し指示を受け付けた画面において入力を受け付けることが可能な設定データについて設定データテーブルＴＢを参照し、入力フラグとして“Ｍ”が付されているか否かを判断する。入力フラグとして“Ｍ”が付されている場合には設定データの入力権限があると判断し、付されていない場合には設定データの入力権限がないと判断する。
【００７２】
したがって、サービスマン権限を付与された操作者には、光軸調整データ（ＩＤ：１００１）、感度調整データ（ＩＤ：１００２）、ハンド位置調整データ（ＩＤ：１００３）、測定中断条件データ（ＩＤ：１００６）及びホストコンピュータ接続データ（ＩＤ：１０１２）については設定データの入力権限があると判断され、これらの設定データの入力を受け付けた場合に設定データが更新される。一方、入力フラグとして“Ｍ“以外のフラグが付されている設定データ、例えば校正データ（ＩＤ：１００８）、フラグ設定データ（ＩＤ：１００９）については設定データの入力権限がないと判断され、これらの設定データの入力を受け付けた場合であっても設定データは更新されない。
【００７３】
制御部５１が、設定データの入力権限がないと判断した場合（ステップＳ６０３：ＮＯ）、制御部５１は、設定データの入力を受け付けることができない画面を表示部５２に表示し、又は呼び出し指示を無視し（ステップＳ６０５）、ステップＳ６０４、ステップＳ６０６及びステップＳ６０７の処理をスキップする。すなわち、入力受付画面の表示を制限する。制御部５１が、設定データの入力権限があると判断した場合（ステップＳ６０３：ＹＥＳ）、制御部５１は、設定データの入力を受け付けることが可能な入力受付画面を表示部５２に表示する（ステップＳ６０４）。制御部５１は、入力受付画面において、設定データの入力を受け付けたか否かを判断する（ステップＳ６０６）。制御部５１が、設定データの入力を受け付けていないと判断した場合（ステップＳ６０６：ＮＯ）、制御部５１は、ステップＳ６０７の処理をスキップする。制御部５１が、設定データの入力を受け付けたと判断した場合（ステップＳ６０６：ＹＥＳ）、制御部５１は、入力を受け付けた設定データを記憶する（ステップＳ６０７）。
【００７４】
以下、上記の処理について、図面を参照しながら具体的に説明する。図７に示すメニュー画面において、操作者によりサービスアイコン７１が選択された場合、図８に示すサービスメニュー画面が表示部５２に表示される。
【００７５】
図８は、図７のサービスアイコン７１が選択された場合に表示部５２に表示されるサービスメニュー画面の例示図である。操作者は、サービスメニュー画面に表示されたアイコンの中から、所望の設定データの種別を示すアイコンを選択する。制御部５１は、選択されたアイコンに応じた種別の設定データの入力を受け付ける画面を表示部５２に表示する。例えば、感度調整データの入力を受け付ける画面を呼び出すためのアイコンであるＳｅｎｓｉｔｉｖｉｔｙアイコン８１０が選択された場合、制御部５１は、感度調整データの入力を受け付ける画面を表示部５２に表示する。
【００７６】
図９は、感度調整データの入力受付画面の例示図である。感度調整データの入力受付画面には、入力対象となる項目９０１と、感度調整の目標値を入力するための入力ボックス９０２と、送信ボタン９０３と、デジタルボリューム値が表示される表示ボックス９０４と、終了ボタン９０５とが表示される。操作者は、複数の項目９０１のうち、所望の項目に対応する入力ボックス９０２に、感度調整の目標値を入力し、送信ボタン９０３を選択する。送信ボタン９０３が選択された場合、制御部５１は、入力された目標値に感度を調整するためのデジタルボリューム値を計算し、表示ボックス９０４に表示する。終了ボタン９０５が選択された場合、制御部５１は、計算されたデジタルボリューム値に応じて、設定データテーブルＴＢの感度調整データ（ＩＤ：１００２）のパラメータを更新する。
【００７７】
また、図８に示すサービスメニュー画面において、ハンド位置調整データの入力を受け付けるためのアイコンであるＨａｎｄ  Ａｄｊｕｓｔｍｅｎｔアイコン８１１が選択された場合には、制御部５１は、ハンド位置調整データの入力を受け付ける画面を表示部５２に表示し、受け付けた入力に応じて、設定データテーブルＴＢのハンド位置調整データ（ＩＤ：１００３）のパラメータを更新する。
【００７８】
同様に、図８に示すサービスメニュー画面において、光軸調整データの入力を受け付けるためのアイコンであるＯｐｔｉｃａｌ  Ａｘｉｓ  Ａｄｊｕｓｔｍｅｎｔアイコン８１２が選択された場合には、制御部５１は、光軸調整データの入力を受け付ける画面を表示部５２に表示し、受け付けた入力に応じて、設定データテーブルＴＢの光軸調整データ（ＩＤ：１００１）のパラメータを更新する。
【００７９】
図７に戻って、図７に示すメニュー画面において、操作者によりＩＰＵ設定アイコン７３が選択された場合、制御部５１は、図１０に示すＩＰＵ設定画面を表示部５２に表示する。
【００８０】
図１０は、ＩＰＵ設定画面の例示図である。図１０に示すように、画面上部には設定データの種別を示す複数のタブが表示されている。操作者は、タブを選択することにより、所望の種別の設定データの入力を受け付ける画面を呼び出すことができる。図１０の例では、ホストコンピュータ接続データの入力受付画面を示している。ホストコンピュータ接続データの入力受付画面には、例えばホストコンピュータＨＣとの接続の有無を入力する入力領域１００１、シリアル通信の有無を入力する入力領域１００２、ＴＣＰ／ＩＰ接続の有無を入力する入力領域１００３、及びシリアルポート接続における通信条件を入力する入力領域１００４等が表示される。
【００８１】
操作者が、情報処理装置５とホストコンピュータＨＣとを接続する場合には、入力領域１００１のチェックボックスにチェックを入力する。操作者が、情報処理装置５とホストコンピュータＨＣとを接続しないようにする場合には、入力領域１００１のチェックボックスのチェックを外す。さらに、操作者が、情報処理装置５とホストコンピュータＨＣとをシリアル通信させる場合には、入力領域１００２のラジオボタンにチェックを入力し、情報処理装置５とホストコンピュータＨＣとをＴＣＰ／ＩＰによって接続させる場合には、入力領域１００３のラジオボタンにチェックを入力する。
【００８２】
さらに、操作者は、情報処理装置５とホストコンピュータＨＣとをシリアル通信させる場合には、複数の通信条件を入力することができる。具体的には、入力領域１００４に表示された「ボーレート」、「コード」、「ストップビット」、及び「パリティ」について入力することができる。操作者は、それぞれの通信条件についてプルダウンボタンを選択し、所望の通信条件を入力することができる。なお、「ボーレート」では転送速度を、「コード」ではデータビット長を、「ストップビット」ではストップビット長を、「パリティ」ではパリティチェックの方式（Ｎｏｎｅ／Ｅｖｅｎ／Ｏｄｄ）をそれぞれ入力することができる。
【００８３】
操作者がそれぞれの通信条件を入力した後、画面下部に表示されたＯＫボタン１００５を選択した場合、制御部５１は、入力された通信条件を抽出し、抽出された通信条件に応じて設定データテーブルＴＢのホストコンピュータ接続データ（ＩＤ：１０１２）のパラメータを更新する。
【００８４】
図７に戻って、図７に示すメニュー画面において、操作者により測定部設定アイコン７２が選択された場合、制御部５１は、図１１に示す測定部設定画面を表示部５２に表示する。
【００８５】
図１１は、測定部設定画面の例示図である。図１１に示すように、画面上部には設定データの種別を示す複数のタブが表示されている。操作者は、タブを選択することにより、所望の種別の設定データの入力を受け付ける画面を呼び出すことができる。図１１の例では、測定中断条件データの入力受付画面を示している。測定中断条件データの入力受付画面では、測定を中断する条件と、それぞれの条件に対応するチェックボックスが表示される。例えば、図１１においては、測定を中断する条件として「ＩＤ読み取り異常」なる条件と、チェックボックスとが領域１１０１に表示される。操作者は、ＩＤ読み取り異常が発生した時点で測定を中断させる場合には、チェックボックスにチェックを入力する。ＩＤ読み取り異常が発生しても測定を中断しないようにする場合には、チェックボックスのチェックを外す。操作者は、測定中断条件の入力後、画面下部に表示されたＯＫボタン１１０２を選択する。ＯＫボタン１１０２が選択された場合、制御部５１は、チェックボックスにチェックが入力されている条件を測定中断条件として抽出し、抽出された測定中断条件に応じて、設定データテーブルＴＢの測定中断条件データ（ＩＤ：１００６）のパラメータを更新する。
【００８６】
一方、図１１に示す入力受付画面において、操作者によって「フラグ設定（ＷＢＣ）」のタブが選択されると、表示部５２には図１５に示すようなフラグ設定データの入力を受け付けるための画面が表示される。しかし、上述したように、サービスマン権限を付与された操作者には、フラグ設定データの入力権限がない。そのため、チェックボックス及び数値を入力するための入力ボックスは、入力を受け付けることができないことを示すために灰色で表示される。したがって、サービスマン権限において、操作者は、フラグ設定データ（ＩＤ：１００９）を変更することはできない。
【００８７】
また、図７に示すメニュー画面においては、校正データ（ＩＤ：１００８）の入力を受け付けるための手動校正アイコン７４及び自動校正アイコン７５が表示されているが、サービスマン権限においてはこれらのアイコンは選択することができないように無効化されている。つまり、操作者による校正データ設定画面の呼び出し指示は無視される。したがって、サービスマン権限において、操作者は、校正データ（ＩＤ：１００８）を入力することはできない。
【００８８】
図６に戻って、情報処理装置５の制御部５１は、測定開始の指示を受け付けたか否かを判断する（ステップＳ６０８）。制御部５１が、測定開始の指示を受け付けたと判断した場合（ステップＳ６０８：ＹＥＳ）、制御部５１は、設定データテーブルＴＢを参照し、使用フラグとして“Ｃ”又は“Ｍ”が付されている設定データを抽出する（ステップＳ６０９）。したがって、図３に示す例では、設定データとして光軸調整データ（ＩＤ：１００１）、感度調整データ（ＩＤ：１００２）、ハンド位置調整データ（ＩＤ：１００３）、測定中断条件データ（ＩＤ：１００６）、校正データ（ＩＤ：１００８）、フラグ設定データ（ＩＤ：１００９）、及びホストコンピュータ接続データ（ＩＤ：１０１２）が抽出される。制御部５１は、抽出された設定データに基づいて装置の動作を実行する（ステップＳ６１０）。
【００８９】
より具体的には、まず、制御部５１は、抽出された光軸調整データ（ＩＤ：１００１）、感度調整データ（ＩＤ：１００２）、ハンド位置調整データ（ＩＤ：１００３）及び測定中断条件データ（ＩＤ：１００６）を測定部３に送信する。測定部３は、送信されたハンド位置調整データ（ＩＤ：１００３）に基づいてハンドを上下動させて、サンプラ４によって横送りされた検体ラック１０１から検体容器１００をハンドによって把持し、装置内部に取り込む。次に、測定部３は、検体容器１００に収容された血液検体と試薬とを混合して測定試料を調製し、調製された測定試料をフローセルに流す。
【００９０】
測定部３は、光軸調整データ（ＩＤ：１００１）に基づいて、調整された光軸に沿った照射光をフローセルを流れる測定試料に照射するよう光源を制御する。フローセルを流れる測定試料に光が照射されると、照射されることにより生じた光を受光部が受光し、受光量に応じた信号を出力する。受光部から出力された信号は、感度調整データ（ＩＤ：１００２）によって調整されたゲインに応じて増幅され、測定部３は、増幅された信号を測定データとして情報処理装置５に送信する。さらに、測定部３は、これら一連の測定が実行されている間に、測定中断条件データ（ＩＤ：１００６）に含まれる条件に合致する事象が発生したか否かを監視している。例えば、図１１に示した画面において領域１１０１に表示されている「ＩＤ読み取り異常」のチェックボックスにチェックが入力されている場合、測定部３は、ＩＤ読み取り異常が発生したか否かを監視する。ＩＤ読み取り異常が発生したときには、測定部３は一連の測定を中断する。
【００９１】
情報処理装置５の制御部５１は、測定データを受信した場合、受信した測定データを校正データ（ＩＤ：１００８）に基づいて分析し、分析結果を生成する。制御部５１は、分析結果が生成された場合、生成された分析結果がフラグ設定データ（ＩＤ：１００９）に含まれる条件に合致するか否かを判断する。フラグ設定データに含まれる条件に合致すると判断した場合には、制御部５１は、生成された分析結果にフラグを付して表示部５２に表示する。
【００９２】
図６に戻って、情報処理装置５の制御部５１が、測定開始の指示を受け付けていないと判断した場合（ステップＳ６０８：ＮＯ）、制御部５１は、出力の指示を受け付けたか否かを判断する（ステップＳ６１１）。本実施の形態では、例えばホストコンピュータＨＣへの分析結果の出力が指示されたか否かが判断される。制御部５１が、出力の指示を受け付けていないと判断した場合（ステップＳ６１１：ＮＯ）、制御部５１は、ステップＳ６１２及びステップＳ６１３の処理をスキップする。制御部５１が、出力の指示を受け付けたと判断した場合（ステップＳ６１１：ＹＥＳ）、制御部５１は、指示を受け付けた出力に関する設定データであって、使用フラグとして“Ｍ”が付されている設定データを抽出する（ステップＳ６１２）。本実施の形態では、例えばホストコンピュータ接続データ（ＩＤ：１０１２）が抽出される。制御部５１は、抽出されたホストコンピュータ接続データ（ＩＤ：１０１２）に基づく条件にしたがって、分析結果をホストコンピュータＨＣに出力する（ステップＳ６１３）。
【００９３】
一連の動作が終了した場合、制御部５１は、ログオフの指示を受け付けたか否かを判断する（ステップＳ６１４）。制御部５１が、ログオフの指示を受け付けたと判断した場合（ステップＳ６１４：ＹＥＳ）、制御部５１は、処理を図４のステップＳ４０１へ戻す。制御部５１が、ログオフの指示を受け付けていないと判断した場合（ステップＳ６１４：ＮＯ）、制御部５１は、シャットダウンの指示を受け付けたか否かを判断する（ステップＳ６１５）。制御部５１が、シャットダウンの指示を受け付けていないと判断した場合（ステップＳ６１５：ＮＯ）、制御部５１は、処理をステップＳ６０２へ戻して上述した処理を繰り返す。制御部５１が、シャットダウンの指示を受け付けたと判断した場合（ステップＳ６１５：ＹＥＳ）、制御部５１は、図４の処理にリターンし、一連の処理を終了する。
【００９４】
[管理者権限における処理]
次に、図４のステップＳ４０５の処理について説明する。図１２は、本発明の実施の形態に係る検体検査装置１の情報処理装置５の制御部５１の、図４のステップＳ４０５における処理手順を示すフローチャートである。
【００９５】
なお、管理者権限の処理手順を示すフローチャートは、サービスマン権限の処理手順を示すフローチャートとほぼ同様であるため、重複する部分についての説明は省略し、サービスマン権限の処理手順と異なる処理手順について説明することとする。
【００９６】
図１２において、情報処理装置５の制御部５１は、管理者権限におけるメニュー画面を表示部５２に表示する（ステップＳ１２０１）。図１３は、管理者権限において表示部５２に表示されるメニュー画面の例示図である。管理者権限において表示されるメニュー画面は、サービスマン権限において表示されるメニュー画面（図７参照）とほとんど同じであるが、サービスアイコン７１は表示されない。したがって、管理者権限においては、上述したサービスメニュー画面（図８参照）を呼び出すことができない。当然ながら、感度調整データ、光軸調整データ等の入力を受け付ける画面を呼び出すことができず、管理者権限において、操作者は、感度調整データ等の設定データを入力することはできない。このように、管理者権限においては、後述するステップＳ１２０３において設定データの入力権限が判断されるまでもなく、感度調整データ等の設定データを入力することはできない。
【００９７】
制御部５１は、設定データの入力を受け付ける画面の呼び出し指示を受け付けたか否かを判断する（ステップＳ１２０２）。制御部５１が、呼び出し指示を受け付けていないと判断した場合（ステップＳ１２０２：ＮＯ）、制御部５１は、ステップＳ１２０３からステップＳ１２０７までの処理をスキップする。制御部５１が、呼び出し指示を受け付けたと判断した場合（ステップＳ１２０２：ＹＥＳ）、制御部５１は、呼び出し指示を受け付けた画面において入力される設定データについて、設定データの入力権限があるか否かを判断する（ステップＳ１２０３）。具体的には、制御部５１は、呼び出された画面にて入力することが可能な設定データについて設定データテーブルＴＢを参照し、入力フラグとして“Ａ”が付されているか否かを判断する。入力フラグとして“Ａ”が付されている場合には設定データの入力権限があると判断し、付されていない場合には設定データの入力権限がないと判断する。
【００９８】
したがって、管理者権限を付与された操作者には、測定中断条件データ（ＩＤ：１００７）、校正データ（ＩＤ：１００８）、フラグ設定データ（ＩＤ：１００９）、及びホストコンピュータ接続データ（ＩＤ：１０１３）については設定データの入力権限があると判断され、これらの設定データを入力することができる。一方、入力フラグとしてフラグ“Ａ“以外のフラグが付されている設定データ、例えば光軸調整データ（ＩＤ：１００１）、感度調整データ（ＩＤ：１００２）、ハンド位置調整データ（ＩＤ：１００３）については設定データの入力権限がないと判断され、これらの設定データを入力することができない。
【００９９】
制御部５１が、設定データの入力権限がないと判断した場合（ステップＳ１２０３：ＮＯ）、制御部５１は、設定データの入力を受け付けることができない画面を表示部５２に表示させ、又は呼び出し指示を無視し（ステップＳ１２０５）、ステップＳ１２０４、ステップＳ１２０６及びステップＳ１２０７の処理をスキップする。すなわち、入力受付画面の表示を制限する。制御部５１が、設定データの入力権限があると判断した場合（ステップＳ１２０３：ＹＥＳ）、制御部５１は、設定データの入力を受け付けることが可能な入力受付画面を表示部５２に表示させる（ステップＳ１２０４）。制御部５１は、設定データの入力を受け付けることが可能な入力受付画面において、設定データの入力を受け付けたか否かを判断する（ステップＳ１２０６）。制御部５１が、設定データの入力を受け付けていないと判断した場合（ステップＳ１２０６：ＮＯ）、制御部５１は、ステップＳ１２０７の処理をスキップする。制御部５１が、設定データの入力を受け付けたと判断した場合（ステップＳ１２０６：ＹＥＳ）、制御部５１は、入力を受け付けた設定データを記憶する（ステップＳ１２０７）。
【０１００】
以下、上記の処理について、図面を参照しながら具体的に説明する。図１３のメニュー画面においてＩＰＵ設定アイコン１３３が選択された場合、図１０に示すホストコンピュータ接続データの入力受付画面が表示部５２に表示される。操作者による設定データの入力を受け付け、ＯＫボタン１００５が選択された場合、制御部５１は、入力を受け付けた設定データを抽出して、設定データテーブルＴＢのホストコンピュータ接続データ（ＩＤ：１０１３）のパラメータを更新する。
【０１０１】
また、操作者は、図１３に示すメニュー画面において、サービスマン権限と同様にして測定部設定アイコン１３２を選択することができる。操作者は、測定部設定アイコン１３２を選択することにより、図１１に示す測定中断条件データの入力受付画面を呼び出し、設定データを入力することができる。設定データが入力され、ＯＫボタン１１０２が選択された場合、制御部５１は、入力された設定データを抽出して、設定データテーブルＴＢの測定中断条件データ（ＩＤ：１００７）のパラメータを更新する。
【０１０２】
ここで、管理者権限において測定部設定アイコン１３２が選択され、図１１に示す測定部設定画面において「フラグ設定（ＷＢＣ）」タブが選択された場合、図１５に示すフラグ設定データの入力を受け付ける入力受付画面が表示部５２に表示される。
【０１０３】
図１５は、フラグ設定データの入力を受け付ける入力受付画面の例示図である。フラグ設定画面には、主に、フラッギングの対象となるＷＢＣサブクラスの項目及び各項目に対応するチェックボックスが表示される入力領域１５０１と、計数値に関する条件を入力する入力領域１５０２と、各サブクラスの割合に関する条件を入力する入力領域１５０３とが表示される。
【０１０４】
操作者は、入力領域１５０１に表示された複数の項目の中からフラグ設定の対象となるＷＢＣサブクラスの項目を選択し、所望の項目に対応するチェックボックスにチェックを入力する。また、操作者は、計数値に関する条件を入力領域１５０２に、割合に関する条件を入力領域１５０３にそれぞれ入力し、画面下部に表示されたＯＫボタン１５０４を選択する。ＯＫボタン１５０４が選択された場合、制御部５１は、入力を受け付けた設定データを抽出して、設定データテーブルＴＢのフラグ設定データ（ＩＤ：１００９）のパラメータを更新する。
【０１０５】
さらに、管理者権限において、操作者は、校正データを入力することができる。図１３のメニュー画面にも示したように、管理者権限におけるメニュー画面には手動校正アイコン１３４及び自動校正アイコン１３５が表示される。ここで、サービスマン権限におけるメニュー画面（図７参照）では、これらのアイコンは表示されるのみで選択することができないように無効化されている。一方、管理者権限におけるメニュー画面では、これらのアイコンは操作者による選択ができるように有効化されている。したがって、管理者権限では、操作者は、手動校正アイコン１３４又は自動校正アイコン１３５を選択することにより、校正データの入力を受け付けるための画面を呼び出して、校正データを入力することができる。ここでは、自動校正アイコン１３５が選択された場合について説明する。自動校正アイコン１３５が選択された場合、制御部５１は、図１４に示す校正データの入力を受け付けるための入力受付画面を表示部５２に表示する。
【０１０６】
図１４は、校正データの入力受付画面の例示図である。校正データの入力受付画面には、図１４に示すように、主に、リファレンス値の入力を受け付けるためのリファレンス値入力領域１４０１と、測定値を表示する測定値表示領域１４０２と、リファレンス値と測定値との比率を表示する比率表示領域１４０３と、現在の補正率を表示する現補正率表示領域１４０４と、新しい補正率を表示する新補正率表示領域１４０５とが表示される。
【０１０７】
操作者は、まずリファレンス値として、校正用検体を別途測定して得られた値をリファレンス値入力領域１４０１に入力する。次に操作者は、校正用検体を検体検査装置１によって測定する。制御部５１は、校正用検体を測定して取得した測定データを測定値表示領域１４０２に表示する。制御部５１は、さらに、測定値とリファレンス値との比率を算出し、算出した比率を比率表示領域１４０３に表示する。操作者は、複数の校正用検体についてこれらの操作を繰り返す。
【０１０８】
制御部５１は、複数の校正用検体について算出された比率の平均値ｘ％を算出し、算出した比率の平均値ｘ％を１００％に補正するための補正率を算出する。制御部５１は、算出した補正率を新補正率表示領域１４０５に表示する。操作者は、現補正率表示領域１４０４に表示された現補正率を、新補正率に変更する場合にはＯＫボタン１４０６を選択する。制御部５１が、ＯＫボタン１４０６を選択した場合、制御部５１は、設定データテーブルＴＢの校正データ（ＩＤ：１００８）のパラメータを、新補正率に応じたパラメータに更新する。
【０１０９】
図１２に戻って、情報処理装置５の制御部５１は、測定開始の指示を受け付けたか否かを判断する（ステップＳ１２０８）。制御部５１が、測定開始の指示を受け付けたと判断した場合（ステップＳ１２０８：ＹＥＳ）、制御部５１は、設定データテーブルＴＢを参照し、使用フラグとして“Ｃ”又は“Ａ”が付されている設定データを抽出する（ステップＳ１２０９）。したがって、図３に示す例では、設定データとして光軸調整データ（ＩＤ：１００１）、感度調整データ（ＩＤ：１００２）、ハンド位置調整データ（ＩＤ１００３：）、測定中断条件データ（ＩＤ：１００７）、校正データ（ＩＤ：１００８）、フラグ設定データ（ＩＤ：１００９）、及びホストコンピュータ接続データ（ＩＤ：１０１３）が抽出される。制御部５１は、抽出された設定データに基づいて装置の動作を実行する（ステップＳ１２１０）。
【０１１０】
一連の動作は、サービスマン権限の処理において説明した動作とほぼ同じであるため、詳細な説明は省略する。
【０１１１】
制御部５１が、測定開始の指示を受け付けていないと判断した場合（ステップＳ１２０８：ＮＯ）、制御部５１は、出力の指示を受け付けたか否かを判断する（ステップＳ１２１１）。本実施の形態では、例えばホストコンピュータＨＣへの分析結果の出力が指示されたか否かが判断される。制御部５１が、出力の指示を受け付けていないと判断した場合（ステップＳ１２１１：ＮＯ）、制御部５１は、ステップＳ１２１２及びステップＳ１２１３の処理をスキップする。制御部５１が、出力の指示を受け付けたと判断した場合（ステップＳ１２１１：ＹＥＳ）、制御部５１は、指示を受け付けた出力に関する設定データであって、使用フラグとして“Ａ”が付されている設定データを抽出する（ステップＳ１２１２）。本実施の形態では、例えばホストコンピュータ接続データ（ＩＤ：１０１３）が抽出される。制御部５１は、抽出されたホストコンピュータ接続データ（ＩＤ：１０１３）に基づく条件にしたがって、分析結果をホストコンピュータＨＣに出力する（ステップＳ１２１３）。
【０１１２】
一連の動作が終了すると、制御部５１は、ログオフの指示を受け付けたか否かを判断する（ステップＳ１２１４）。制御部５１が、ログオフの指示を受け付けたと判断した場合（ステップＳ１２１４：ＹＥＳ）、制御部５１は、処理を図４のステップＳ４０１へ戻す。制御部５１が、ログオフの指示を受け付けていないと判断した場合（ステップＳ１２１４：ＮＯ）、制御部５１は、シャットダウンの指示を受け付けたか否かを判断する（ステップＳ１２１５）。制御部５１が、シャットダウンの指示を受け付けていないと判断した場合（ステップＳ１２１５：ＮＯ）、制御部５１は、処理をステップＳ１２０２へ戻して上述した処理を繰り返す。制御部５１が、シャットダウンの指示を受け付けたと判断した場合（ステップＳ１２１５：ＹＥＳ）、制御部５１は、図４の処理にリターンし、一連の処理を終了する。
【０１１３】
[ユーザ権限における処理]
次に、図４のステップＳ４０６の処理について説明する。図１６は、本発明の実施の形態に係る検体検査装置１の情報処理装置５の制御部５１の、図４のステップＳ４０６における処理手順を示すフローチャートである。
【０１１４】
なお、ユーザ権限の処理手順を示すフローチャートは、サービスマン権限の処理手順を示すフローチャートとほぼ同様であるため、重複する部分についての説明は省略し、サービスマン権限の処理手順と異なる処理手順について説明することとする。
【０１１５】
図１６において、情報処理装置５の制御部５１は、ユーザ権限におけるメニュー画面を表示部５２に表示する（ステップＳ１６０１）。ユーザ権限において表示部５２に表示されるメニュー画面は、管理者権限において表示されるメニュー画面（図１３参照）と同じである。サービスアイコンは表示されない。したがって、ユーザ権限においては、上述したサービスメニュー画面（図８参照）を呼び出すことができない。当然ながら、感度調整データ、光軸調整データ等の入力を受け付けることが可能な画面を呼び出すことができず、ユーザ権限において、操作者は、感度調整データ等の設定データを入力することはできない。このように、ユーザ権限においては、後述するステップＳ１６０３において設定データの入力権限が判断されるまでもなく、感度調整データ等の設定データを入力することはできない。
【０１１６】
制御部５１は、設定データの入力を受け付ける画面の呼び出し指示を受け付けたか否かを判断する（ステップＳ１６０２）。制御部５１が、呼び出し指示を受け付けていないと判断した場合（ステップＳ１６０２：ＮＯ）、制御部５１は、ステップＳ１６０３からステップＳ１６０７までの処理をスキップする。制御部５１が、呼び出し指示を受け付けたと判断した場合（ステップＳ１６０２：ＹＥＳ）、制御部５１は、呼び出し指示を受け付けた画面において入力される設定データについて、設定データの入力権限があるか否かを判断する（ステップＳ１６０３）。具体的には、制御部５１は、呼び出された画面にて入力することが可能な設定データについて設定データテーブルＴＢを参照し、入力フラグとして“Ｙ”が付されているか否かを判断する。入力フラグとして“Ｙ”が付されている場合には設定データの入力権限があると判断し、付されていない場合には設定データの入力権限はないと判断する。
【０１１７】
したがって、ユーザ権限を付与された操作者には、測定中断条件データ（ＩＤ：１００４、１００５）及びホストコンピュータ接続データ（ＩＤ：１０１０、１０１１）については設定データの入力権限があると判断され、これらの設定データを入力することができる。一方、入力フラグとして“Ｙ“以外のフラグが付されている設定データ、例えば、光軸調整データ（ＩＤ：１００１）、感度調整データ（ＩＤ：１００２）、ハンド位置調整データ（ＩＤ：１００３）、校正データ（ＩＤ：１００８）、及びフラグ設定データ（ＩＤ：１００９）については設定データの入力権限がないと判断され、これらの設定データを入力することはできない。
【０１１８】
制御部５１が、設定データの入力権限がないと判断した場合（ステップＳ１６０３：ＮＯ）、制御部５１は、設定データの入力を受け付けることができない画面を表示部５２に表示させ、又は呼び出し指示を無視し（ステップＳ１６０５）、ステップＳ１６０４、ステップＳ１６０６及びステップＳ１６０７の処理をスキップする。すなわち、入力受付画面の表示を制限する。制御部５１が、設定データの入力権限があると判断した場合（ステップＳ１６０３：ＹＥＳ）、制御部５１は、設定データの入力を受け付けることが可能な入力受付画面を表示部５２に表示する（ステップＳ１６０４）。制御部５１は、設定データの入力を受け付けることが可能な入力受付画面において、設定データの入力を受け付けたか否かを判断する（ステップＳ１６０６）。制御部５１が、設定データの入力を受け付けていないと判断した場合（ステップＳ１６０６：ＮＯ）、制御部５１は、ステップＳ１６０７の処理をスキップする。制御部５１が、設定データの入力を受け付けたと判断した場合（ステップＳ１６０６：ＹＥＳ）、制御部５１は、入力を受け付けた設定データを記憶する（ステップＳ１６０７）。
【０１１９】
なお、ステップＳ１６０７においては、ログイン時にＹ−０１の入力者ＩＤが入力されている場合には、設定データテーブルＴＢの入力者ＩＤフィールドＦ６において「Ｙ−０１」が記憶されている設定データが更新される。同様に、ログイン時にＹ−０２の入力者ＩＤが入力されている場合には、入力者ＩＤフィールドＦ６において「Ｙ−０２」が記憶されている設定データが更新される。
【０１２０】
以下、上記の処理について、図面を参照しながら具体的に説明する。図１３のメニュー画面においてＩＰＵ設定アイコン１３３が選択された場合、図１０に示すホストコンピュータ接続データの入力受付画面が表示部５２に表示される。操作者による設定データの入力を受け付け、ＯＫボタン１００５が選択された場合、制御部５１は、入力を受け付けた設定データを抽出して、ログイン時に入力された入力者ＩＤに対応するホストコンピュータ接続データのパラメータを更新する。具体的には、ログイン時にＹ−０１の入力者ＩＤが入力されている場合には、ホストコンピュータ接続データ（ＩＤ：１０１０）のパラメータが更新される。ログイン時にＹ−０２の入力者ＩＤが入力されている場合には、ホストコンピュータ接続データ（ＩＤ：１０１１）のパラメータが更新される。
【０１２１】
また、操作者は、図１３のメニュー画面において、サービスマン権限と同様にして測定部設定アイコン１３２を選択することができる。操作者は、測定部設定アイコン１３２を選択することにより、図１１に示した測定中断条件データの入力受付画面を呼び出し、設定データを入力することができる。設定データが入力され、ＯＫボタン１１０２が選択された場合、制御部５１は、入力された設定データを抽出して、ログイン時に入力された入力者ＩＤに対応する測定中断条件データのパラメータを更新する。具体的には、ログイン時にＹ−０１の入力者ＩＤが入力されている場合には、測定中断条件データ（ＩＤ：１００４）のパラメータが更新される。ログイン時にＹ−０２の入力者ＩＤが入力されている場合には、測定中断条件データ（ＩＤ：１００５）のパラメータが更新される。
【０１２２】
なお、ユーザ権限である場合にも、図１３に示すように手動校正アイコン１３４及び自動校正アイコン１３５がメニュー画面に表示されるが、入力権限がユーザ権限である場合、これらのアイコンは選択することができないように無効化されている。したがって、ユーザ権限では、操作者は、サービスマン権限における場合と同様に、校正データを入力することができない。
【０１２３】
また、図１３に示すメニュー画面において、操作者によって測定部設定アイコン１３２が選択された場合、図１１に示す入力受付画面において、操作者によって「フラグ設定（ＷＢＣ）」のタブが選択された場合、表示部５２には図１５に示すフラグ設定データの入力を受け付けるための入力受付画面が表示されるが、表示されるチェックボックス及び数値を入力する入力ボックスは灰色で表示され、選択及び入力することができないように無効化されている。ゆえに、ユーザ権限では、フラグ設定データを入力することはできない。
【０１２４】
図１６に戻って、情報処理装置５の制御部５１は、測定開始の指示を受け付けたか否かを判断する（ステップＳ１６０８）。制御部５１が、測定開始の指示を受け付けたと判断した場合（ステップＳ１６０８：ＹＥＳ）、制御部５１は、設定データテーブルＴＢを参照し、使用フラグとして“Ｃ”又は“Ｙ”が付されている設定データを抽出する（ステップＳ１６０９）。ここで、ログイン時にＹ−０１の入力者ＩＤが入力されている場合には、使用フラグ“Ｙ”が付された設定データのうち、入力者ＩＤとしてＹ−０１が記憶された設定データが抽出される。一方、ログイン時にＹ−０２の入力者ＩＤが入力されている場合には、使用フラグ“Ｙ”が付された設定データのうち、入力者ＩＤとしてＹ−０２が記憶された設定データが抽出される。
【０１２５】
したがって、ログイン時にＹ−０１の入力者ＩＤが入力され、測定開始の指示を受け付けた場合には、設定データテーブルＴＢから、光軸調整データ（ＩＤ：１００１）、感度調整データ（ＩＤ：１００２）、ハンド位置調整データ（ＩＤ：１００３）、測定中断条件データ（ＩＤ：１００４）、校正データ（ＩＤ：１００８）、及びフラグ設定データ（ＩＤ：１００９）の設定データが抽出される。一方、ログイン時にＹ−０２の入力者ＩＤが入力され、測定開始の指示を受け付けた場合には、上記の設定データのうち測定中断条件データ（ＩＤ：１００４）に代えて、測定中断条件データ（ＩＤ：１００５）の設定データが抽出される。制御部５１は、抽出された設定データに基づいて装置の動作を実行する（ステップＳ１６１０）。
【０１２６】
一連の動作は、サービスマン権限の処理において説明した動作とほぼ同じであるため、詳細な説明は省略する。
【０１２７】
制御部５１が、測定開始の指示を受け付けていないと判断した場合（ステップＳ１６０８：ＮＯ）、制御部５１は、出力の指示を受け付けたか否かを判断する（ステップＳ１６１１）。本実施の形態では、例えばホストコンピュータＨＣへの分析結果の出力が指示されたか否かが判断される。制御部５１が、出力の指示を受け付けていないと判断した場合（ステップＳ１６１１：ＮＯ）、制御部５１は、ステップＳ１６１２及びステップＳ１６１３の処理をスキップする。制御部５１が、出力の指示を受け付けたと判断した場合（ステップＳ１６１１：ＹＥＳ）、制御部５１は、指示を受け付けた出力に関する設定データであって、使用フラグとして“Ｙ”が付されている設定データを抽出する（ステップＳ１６１２）。
【０１２８】
なお、測定開始の指示を受け付けた場合の処理と同様に、Ｙ−０１の入力者ＩＤにより特定される操作者により出力が指示された場合には、使用フラグ“Ｙ”が付された設定データのうち、入力者ＩＤとしてＹ−０１が記憶された設定データが抽出される。一方、Ｙ−０２の入力者ＩＤにより特定される操作者により出力が指示された場合には、使用フラグ“Ｙ”が付された設定データのうち、入力者ＩＤとしてＹ−０２が記憶された設定データが抽出される。したがって、Ｙ−０１の入力者ＩＤにより特定される操作者により出力が指示された場合には、設定データテーブルＴＢから、ホストコンピュータ接続データ（ＩＤ：１０１０）が抽出される。Ｙ−０２の入力者ＩＤにより特定される操作者により出力が指示された場合には、設定データテーブルＴＢから、ホストコンピュータ接続データ（ＩＤ：１０１１）が抽出される。
【０１２９】
制御部５１は、抽出されたホストコンピュータ接続データに基づく条件にしたがって、分析結果をホストコンピュータＨＣに出力する（ステップＳ１６１３）。
【０１３０】
一連の動作が終了すると、制御部５１は、ログオフの指示を受け付けたか否かを判断する（ステップＳ１６１４）。制御部５１が、ログオフの指示を受け付けたと判断した場合（ステップＳ１６１４：ＹＥＳ）、制御部５１は、処理を図４のステップＳ４０１へ戻す。制御部５１が、ログオフの指示を受け付けていないと判断した場合（ステップＳ１６１４：ＮＯ）、制御部５１は、シャットダウンの指示を受け付けたか否かを判断する（ステップＳ１６１５）。制御部５１が、シャットダウンの指示を受け付けていないと判断した場合（ステップＳ１６１５：ＮＯ）、制御部５１は、処理をステップＳ１６０２へ戻して上述した処理を繰り返す。制御部５１が、シャットダウンの指示を受け付けたと判断した場合（ステップＳ１６１５：ＹＥＳ）、制御部５１は、図４の処理にリターンし、一連の処理を終了する。
【０１３１】
以上のように本実施の形態によれば、ユーザ権限における検体の検査に先立って、サービスマン権限において光軸調整データ（ＩＤ：１００１）、感度調整データ（ＩＤ：１００２）等の測定機構の設定データが最適な値に変更されている場合、ユーザ権限では、そのような最適な値を再入力することなく、変更された設定データに基づいて検体の検査を行うことができる。また、サービスマン権限においてホストコンピュータ接続データが変更された場合であっても、サービスマン権限において適用される設定データ（ＩＤ：１０１２）が更新されるだけであって、ユーザ権限において適用されるＩＤ：１０１０の設定データ及びＩＤ：１０１１の設定データは更新されない。したがって、サービスマンがメンテナンスを行う時にホストコンピュータ接続データを更新した場合であっても、ユーザの意図しない条件で情報処理装置５により情報が出力されることはない。
【０１３２】
さらに、本実施の形態では、ユーザ権限によって入力可能であり、かつユーザ権限において適用される設定データ、具体的にはホストコンピュータ接続データについては、入力者ＩＤごとに別々の設定データとして記憶するように構成している。ゆえに、ユーザ権限が付与されている一の操作者によって設定データが変更された場合であっても、それによって他のユーザ権限が付与されている操作者の設定データが変更されることはない。
【０１３３】
なお、本発明は上記実施の形態に限定されるものではなく、本発明の趣旨の範囲内であれば多種の変形、置換等が可能である。例えば、上記実施の形態では、図３の設定データテーブルＴＢに示すように、設定データを区別することなく一の記憶装置に記憶する形態を示したが、このような構成に限られず、例えば次のような構成であってもよい。
【０１３４】
図１７は、本発明の他の実施の形態に係る情報処理装置５の構成を示すブロック図である。図１７に示すように、情報処理装置５の記憶装置５５は、ユーザ権限及びサービスマン権限において共通して使用される測定機構の設定データを記憶する第１記憶部５５２と、ユーザ権限において使用される情報出力に関する設定データを記憶する第２記憶部５５３と、サービスマン権限において使用される情報出力に関する設定データを記憶する第３記憶部５５４とを備える。
【０１３５】
制御部５１は、サービスマン権限において測定機構の設定データが更新された場合、更新された設定データを測定機構設定データ記憶部（第１記憶部）５５２に記憶する。制御部５１は、ユーザ権限において情報の出力に関する設定データが更新された場合、更新された設定データをユーザ権限用情報出力設定データ記憶部（第２記憶部）５５３に記憶する。サービスマン権限において情報の出力に関する設定データが更新された場合、更新された設定データはサービスマン権限用情報出力設定データ記憶部（第３記憶部）５５４に記憶する。
【０１３６】
制御部５１は、ユーザ権限において装置を動作させる場合には、測定機構設定データ記憶部５５２に記憶された測定機構の設定データと、ユーザ権限用情報出力設定データ記憶部５５３に記憶された情報の出力に関する設定データとを読み出して、読み出した設定データに基づいて動作を実行する。
【０１３７】
また、制御部５１は、サービスマン権限において装置を動作させる場合には、測定機構設定データ記憶部５５２に記憶された測定機構の設定データと、サービスマン権限用情報出力設定データ記憶部５５４に記憶された情報の出力に関する設定データとを読み出して、読み出した設定データに基づいて動作を実行する。
【０１３８】
また、上記実施の形態では、設定データを全て同じテーブルに記憶した例を示しているが、例えばサービスマン権限において使用される設定データ群と、管理者権限において使用可能な設定データ群と、ユーザ権限において使用される設定データ群とを別々のデータベースに記憶しておいても良い。
【０１３９】
また、上記実施の形態では、感度調整データ、ハンド位置調整データ等の測定機構の設定データの入力を受け付けることができないようにするために、これらの設定データの入力を受け付ける画面を呼び出すためのサービスアイコンを、管理者権限及びユーザ権限におけるメニュー画面に表示しないようにしているが、特にこれに限定されるものではない。例えば、メニュー画面にサービスアイコンを無効化して表示しても良いし、入力受付画面の入力ボックスを、入力を受け付けることができないよう無効化して表示しても良い。
【０１４０】
また、上記実施の形態では、ユーザ権限が付与された操作者の入力者ＩＤを複数設定しておき、入力者ＩＤごとに、情報の出力に関する設定データを別々に記憶する構成とすることにより、ユーザ権限が付与された操作者ごとに異なる設定データを使用及び変更することできるようにしている。しかし、例えばサービスマン権限が付与された操作者の入力者ＩＤを複数設定しておき、入力者ＩＤごとに、測定機構の設定データを別々に記憶する構成とすることにより、サービスマン権限が付与された操作者ごとに異なる設定データを使用及び変更することができる。同様に、管理者権限が付与された操作者の入力者ＩＤを複数設定しておき、入力者ＩＤごとに、情報の出力に関する設定データを別々に記憶する構成とすることにより、管理者権限が付与された操作者ごとに異なる設定データを使用及び変更することができる。
【符号の説明】
【０１４１】
１  検体検査装置
３  測定部
５  情報処理装置
５１  制御部
５２  表示部
５３  入力部
５４  メモリ
５５  記憶装置
５６  Ｉ／Ｏインタフェース
５７  ビデオインタフェース
５８  可搬型ディスクドライブ
５９  通信インタフェース
６０  内部バス
８０  可搬型記録媒体
９０  コンピュータプログラム
１００  検体容器
【図１】
0005451296.tif 000002
【図２】
0005451296.tif 000003
【図３】
0005451296.tif 000004
【図４】
0005451296.tif 000005
【図５】
0005451296.tif 000006
【図６】
0005451296.tif 000007
【図７】
0005451296.tif 000008
【図８】
0005451296.tif 000009
【図９】
0005451296.tif 000010
【図１０】
0005451296.tif 000011
【図１１】
0005451296.tif 000012
【図１２】
0005451296.tif 000013
【図１３】
0005451296.tif 000014
【図１４】
0005451296.tif 000015
【図１５】
0005451296.tif 000016
【図１６】
0005451296.tif 000017
【図１７】
0005451296.tif 000018